(57)【特許請求の範囲】
【請求項１】
走査電極および維持電極からなる表示電極を複数形成した前面基板と、
前記表示電極に交差するように複数のデータ電極を形成した背面基板と、
を、間に放電空間が形成されるように対向配置し、且つ、前記表示電極と前記データ電極との交差部に放電セルを形成したプラズマディスプレイパネルと、
前記データ電極に接続され且つ前記データ電極に電圧を供給するためのデータドライバと、を備え、
前記データ電極は、
前記表示電極に対向する位置に設けられた主電極部と、
前記主電極部間を接続し且つ前記主電極部より幅が狭い配線部と、を有し、
前記放電セルは、
赤色の放電セルと緑色の放電セルと青色の放電セルとを有し、
前記プラズマディスプレイパネルの周辺部の前記赤色の放電セルに設けられた前記主電極部の幅が、前記プラズマディスプレイパネルの中央部の前記赤色の放電セルに設けられた前記主電極部の幅と同じであり、
前記プラズマディスプレイパネルの周辺部の前記緑色の放電セルに設けられた前記主電極部の幅が、前記プラズマディスプレイパネルの中央部の前記緑色の放電セルに設けられた前記主電極部の幅より広く、
前記プラズマディスプレイパネルの周辺部の前記青色の放電セルに設けられた前記主電極部の幅が、前記プラズマディスプレイパネルの中央部の前記青色の放電セルに設けられた前記主電極部の幅より広いことを特徴とするプラズマディスプレイ装置。
【発明の詳細な説明】
【技術分野】
【０００１】
本発明は、プラズマディスプレイパネルを表示デバイスとして用いるプラズマディスプレイ装置に関する。
【背景技術】
【０００２】
従来、プラズマディスプレイ装置に用いられているプラズマディスプレイパネル（以下、パネルともいう）は、大別して、駆動方法のそれぞれ異なるＡＣ型とＤＣ型とがある。また、パネルは、放電形式がそれぞれ異なる面放電型と対向放電型との２種類がある。パネルの高精細化と大画面化と製造の簡便性との理由から、現状では、パネルの主流は、３電極構造の面放電型のパネルである。
【０００３】
面放電型のプラズマディスプレイパネル構造は、基板間に放電空間が形成されるように、少なくとも前面側が透明な一対の基板が対向配置されている。さらに、放電空間を複数の空間に仕切るための隔壁が、基板に形成されている。そして、隔壁によって仕切られた放電空間において、放電が発生するようにそれぞれの基板に電極群が形成されている。さらに、赤色、緑色、青色に発光する蛍光体が放電空間に設けられ、複数の放電セルが構成されている。蛍光体は、放電により発生する波長の短い真空紫外光によって励起され、赤色、緑色、青色に発光する蛍光体が設けられた放電セル（赤色の放電セル、緑色の放電セル、青色の放電セル）から、それぞれ、赤色、緑色、青色の可視光が発生する。このことによって、パネルにおいてカラー表示が行われる。
【０００４】
プラズマディスプレイパネルは、液晶パネルに比べて、高速の表示が可能であり、視野角が広く、大型化が容易である。さらに、パネルは、自発光型であるため、表示品質が高いなどの理由から、最近、フラットパネルディスプレイの中で特に注目を集めている。そして、多くの人が集まる場所における表示装置、または、家庭で大画面の映像を楽しむための表示装置として各種の用途に使用されている。
【０００５】
従来のプラズマディスプレイ装置において、パネルがシャーシ部材の前面側に保持され、シャーシ部材の背面側に回路基板が配置されている。このことによって、モジュールが構成される。パネルは、ガラスが主材料であり、シャーシ部材は、アルミニウムなどの金属製である。回路基板は、パネルを発光させるための駆動回路を構成する。プラズマディスプレイ装置の大画面化、高精細化が進められて来ているが、一般家庭での普及が進むことにより、高画質化、低消費電力化に対する要望が強くなってきている。なお、従来のパネルと、それを用いたプラズマディスプレイ装置は、特開２００３−１３１５８０号公報（特許文献１）などに開示されている。
【特許文献１】特開２００３−１３１５８０号公報
【発明の開示】
【０００６】
本発明は、高画質で低消費電力のプラズマディスプレイ装置を提供する。
【０００７】
本発明のプラズマディスプレイ装置は、走査電極および維持電極からなる表示電極を複数形成した前面基板と、前記表示電極に交差するように複数のデータ電極を形成した背面基板とを、間に放電空間が形成されるように対向配置し、且つ、前記表示電極と前記データ電極との交差部に放電セルを形成したプラズマディスプレイパネルと、前記データ電極に接続され且つ前記データ電極に電圧を供給するためのデータドライバとを備え、前記データ電極は、前記表示電極に対向する位置に設けられた主電極部と、前記主電極部間を接続し且つ前記主電極部より幅が狭い配線部とを有し、前記放電セルは、赤色の放電セルと緑色の放電セルと青色の放電セルとを有し、前記プラズマディスプレイパネルの周辺部の前記赤色の放電セルに設けられた前記主電極部の幅が、前記プラズマディスプレイパネルの中央部の前記赤色の放電セルに設けられた前記主電極部の幅と同じであり、前記プラズマディスプレイパネルの周辺部の前記緑色の放電セルに設けられた前記主電極部の幅が、前記プラズマディスプレイパネルの中央部の前記緑色の放電セルに設けられた前記主電極部の幅より広く、前記プラズマディスプレイパネルの周辺部の前記青色の放電セルに設けられた前記主電極部の幅が、前記プラズマディスプレイパネルの中央部の前記青色の放電セルに設けられた前記主電極部の幅より広い。この構成によって、高画質で、低消費電力のプラズマディスプレイ装置が提供される。
【発明を実施するための最良の形態】
【０００８】
以下、本発明の実施の形態によるプラズマディスプレイ装置について、図１〜図９Ｃを用いて説明する。なお、本発明は以下の説明に限定されない。
【０００９】
まず、プラズマディスプレイ装置に用いられるプラズマディスプレイパネルの構造について図１を用いて説明する。図１に示すように、プラズマディスプレイパネル１１（以下、パネル１１と呼ぶ）は、前面パネル３１と背面パネル３２との間に放電空間６０を形成するようにして、前面パネル３１と背面パネル３２とを対向して配置することにより構成されている。前面パネル３１と背面パネル３２とは、それらの周辺部に設けられた封着材（図示せず）を用いて封止されている。封着材は、たとえば、ガラスフリットなどが用いられている。また、放電空間６０には、放電ガスとして、たとえば、ネオン（Ｎｅ）とキセノン（Ｘｅ）との混合ガスが封入されている。
【００１０】
前面パネル３１は以下のように構成されている。ガラス製の前面基板１上に、走査電極３と維持電極４とからなる表示電極６２が複数列に配列して設けられている。表示電極６２を構成する走査電極３と維持電極４とは、放電ギャップ６４を介して平行に配置されている。さらに、走査電極３と維持電極４とを覆うように、ガラス材料からなる誘電体層５が形成されている。さらに、誘電体層５上に酸化マグネシウム（ＭｇＯ）からなる保護層６が形成されている。以上のようにして、前面パネル３１は構成されている。また、走査電極３は、透明電極３ａと、透明電極３ａ上に重ねて形成されたバス電極３ｂとを有する。維持電極４は、同様に、透明電極４ａと、透明電極４ａ上に重ねて形成されたバス電極４ｂとを有する。なお、透明電極３ａと透明電極４ａとは、それぞれインジウムスズ酸化物（ＩＴＯ）などによって形成され、光透過性を有している。また、バス電極３ｂとバス電極４ｂとは、それぞれ、銀（Ａｇ）などの導電性材料を主成分として形成されている。
【００１１】
また、背面パネル３２は以下のように構成されている。前面基板１に対向して配置されたガラス製の背面基板２上に、ストライプ状に配列された銀（Ａｇ）などの導電材料からなる複数のデータ電極８が設けられている。データ電極８は、ガラス材料からなる絶縁体層７で覆われている。さらに、絶縁体層７上には、井桁状または格子状の形状を有し、ガラス材料からなる隔壁９が設けられている。隔壁９は、放電空間６０を仕切り、放電セル６１毎に区切るために設けられている。さらに、隔壁９間の絶縁体層７の表面と隔壁９の側面とに、赤色（Ｒ）、緑色（Ｇ）、青色（Ｂ）の各色の蛍光体層１０が設けられている。以上のようにして、背面パネル３２は構成されている。なお、データ電極８が走査電極３と維持電極４とに対して交差するように、前面基板１と背面基板２とが対向して配置されている。このことによって、走査電極３および維持電極４と、データ電極８との交差部分に、隔壁９によって仕切られた放電セル６１が形成される。
【００１２】
また、表示電極６２と、その隣の表示電極６２との間には、コントラストを向上させるために、遮光性の高い黒色の遮光層３３が設けられていてもよい。
【００１３】
なお、パネル１１の構造は上述したものに限らない。たとえば、パネル１１は、ストライプ（ｓｔｒｉｐｅ）状の隔壁９を備えた構造を有していてもよい。また、走査電極３と維持電極４との配列について、図１では、走査電極３−維持電極４−走査電極３−維持電極４・・・・のように、走査電極３と維持電極４とが交互に配列された表示電極６２の構成を示している。しかしながら、走査電極３−維持電極４−維持電極４−走査電極３・・・のような電極配列を有する表示電極６２の構成であってもよい。
【００１４】
図２は、図１に示すプラズマディスプレイパネル１１の概略電極配列図である。行方向（縦方向）に、ｎ本の走査電極３である走査電極ＳＣ１〜ＳＣｎとｎ本の維持電極４である維持電極ＳＵ１〜ＳＵｎとが配列されている。さらに、列方向（横方向）に、ｍ本のデータ電極８であるデータ電極Ｄ１〜Ｄｍが配列されている。そして、１対の走査電極ＳＣｉと維持電極ＳＵｉ（ｉ＝１〜ｎ）と、１つのデータ電極Ｄｊ（ｊ＝１〜ｍ）とが交差した部分に放電セル６１が形成されている。すなわち、放電セル６１は、放電空間６０内にｍ×ｎ個形成されており、このｍ×ｎ個の放電セル６１により画像が表示される表示領域が構成される。
【００１５】
図３は、プラズマディスプレイパネル１１が用いられるプラズマディスプレイ装置の回路ブロック図を示す。プラズマディスプレイ装置６３は、パネル１１と、パネル１１を駆動するための各種電気回路と、を有する。各種電気回路は、画像信号処理回路１２、データ電極駆動回路１３、走査電極駆動回路１４、維持電極駆動回路１５、タイミング発生回路１６、電源回路（図示せず）などである。
【００１６】
また、データ電極駆動回路１３は、図２に示すように、データ電極８の一端に接続されている。データ電極駆動回路１３は、データ電極８に電圧を供給するための半導体素子からなる複数のデータドライバ１３ａを有している。複数のデータ電極８を１つのブロックとして、データ電極８を複数のブロックに分割し、各ブロックに１つのデータドライバ１３ａを設けている。データドライバ１３ａは、データ電極８をパネル１１の下端部１１ａに引き出して設けられた電極引出部に接続されている。
【００１７】
図３において、タイミング発生回路１６は、水平同期信号Ｈと垂直同期信号Ｖとに基づいて、各種のタイミング信号を生成し、各駆動回路ブロックである画像信号処理回路１２、データ電極駆動回路１３、走査電極駆動回路１４、維持電極駆動回路１５に供給する。画像信号処理回路１２は、画像信号Ｓｉｇをサブフィールド毎の画像データに変換する。データ電極駆動回路１３は、サブフィールド毎の画像データを各データ電極Ｄ１〜Ｄｍに対応する信号に変換する。データ電極駆動回路１３によって変換された信号を用いて、各データ電極Ｄ１〜Ｄｍが駆動される。走査電極駆動回路１４は、タイミング発生回路１６から送られたタイミング信号に基づいて、走査電極ＳＣ１〜ＳＣｎに駆動電圧波形を供給する。維持電極駆動回路１５は、同様に、タイミング発生回路１６から送られたタイミング信号に基づいて、維持電極ＳＵ１〜ＳＵｎに駆動電圧波形を供給する。なお、走査電極駆動回路１４と維持電極駆動回路１５とは、維持パルス発生部１７をそれぞれ有している。
【００１８】
次に、パネル１１を駆動するための駆動電圧波形とパネル１１の動作とについて、図４を用いて説明する。図４は、パネル１１の各電極に印加される駆動電圧波形を示す波形図である。
【００１９】
プラズマディスプレイ装置６３の駆動方法では、１フィールド期間が複数のサブフィールドに分割され、それぞれのサブフィールドは初期化期間と書込み期間と維持期間とを有している。
【００２０】
第１サブフィールドの初期化期間では、初め、データ電極Ｄ１〜Ｄｍと維持電極ＳＵ１〜ＳＵｎとが０（Ｖ）に保持されている。同時に、走査電極ＳＣ１〜ＳＣｎに対しては、放電開始電圧以下となる電圧Ｖｉ１（Ｖ）から放電開始電圧を超える電圧Ｖｉ２（Ｖ）に向かって緩やかに上昇するランプ電圧Ｖｉ１２が印加される。すると、すべての放電セル６１において、１回目の微弱な初期化放電が起こり、走査電極ＳＣ１〜ＳＣｎ上に負の壁電圧が蓄えられる。これとともに、維持電極ＳＵ１〜ＳＵｎ上とデータ電極Ｄ１〜Ｄｍ上とに正の壁電圧が蓄えられる。ここで、電極上の壁電圧とは、電極を覆う誘電体層５上または蛍光体層１０上などに蓄積した壁電荷によって生じる電圧を指す。
【００２１】
その後、維持電極ＳＵ１〜ＳＵｎが正の電圧Ｖｈ（Ｖ）に保たれ、走査電極ＳＣ１〜ＳＣｎに対して、電圧Ｖｉ３（Ｖ）から電圧Ｖｉ４（Ｖ）に向かって緩やかに下降するランプ電圧Ｖｉ３４が印加される。すると、すべての放電セル６１において、２回目の微弱な初期化放電が起こり、走査電極ＳＣ１〜ＳＣｎ上と維持電極ＳＵ１〜ＳＵｎ上との間の壁電圧が弱められる。さらに、データ電極Ｄ１〜Ｄｍ上の壁電圧が書込み動作に適した値に調整される。
【００２２】
次に、第１サブフィールドの書込み期間において、走査電極ＳＣ１〜ＳＣｎが一旦Ｖｒ（Ｖ）に保持される。次に、１行目の走査電極ＳＣ１に負の走査パルス電圧Ｖａ（Ｖ）が印加される。これとともに、データ電極Ｄ１〜Ｄｍのうち１行目に表示すべき放電セル６１のデータ電極Ｄｋ（ｋ＝１〜ｍ）に、正の書込みパルス電圧Ｖｄ（Ｖ）が印加される。このとき、データ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算された電圧値となり、放電開始電圧を超える。そして、データ電極Ｄｋと走査電極ＳＣ１との間と、維持電極ＳＵ１と走査電極ＳＣ１との間とに書込み放電が起こる。このことによって、書き込み放電の起こった放電セル６１の、走査電極ＳＣ１上に正の壁電圧が蓄積され、維持電極ＳＵ１上に負の壁電圧が蓄積され、データ電極Ｄｋ上に負の壁電圧が蓄積される。
【００２３】
以上のようにして、１行目に表示するべき放電セル６１で書込み放電が起こり、各電極上に壁電圧を蓄積する書込み動作が実行される。一方、書込みパルス電圧Ｖｄ（Ｖ）が印加されなかったデータ電極Ｄ１〜Ｄｍと走査電極ＳＣ１とが交差する交差部の電圧は、放電開始電圧を超えない。したがって、書込み放電が発生しない。同様に、書込み動作がｎ行目の放電セル６１に至るまで順次行なわれる。このことによって、第１サブフィールドの書込み期間が終了する。
【００２４】
次に、第１サブフィールドの維持期間において、走査電極ＳＣ１〜ＳＣｎには第１の電圧として正の維持パルス電圧Ｖｓ（Ｖ）が印加される。そして、維持電極ＳＵ１〜ＳＵｎには第２の電圧として接地電位、すなわち０（Ｖ）が印加される。このとき、書き込み期間中に書込み放電を起こした放電セル６１では、走査電極ＳＣｉ上と維持電極ＳＵｉ上との間の電圧が、維持パルス電圧Ｖｓ（Ｖ）に走査電極ＳＣｉ上の壁電圧と維持電極ＳＵｉ上の壁電圧とが加算された電圧値となり、放電開始電圧を超える。そして、走査電極ＳＣｉと維持電極ＳＵｉとの間に維持放電が起こり、維持放電によって発生する紫外線によって蛍光体層１０が励起されて、発光する。そして、走査電極ＳＣｉ上に負の壁電圧が蓄積され、維持電極ＳＵｉ上に正の壁電圧が蓄積される。同時に、データ電極Ｄｋ上にも正の壁電圧が蓄積される。
【００２５】
書込み期間において書込み放電が起きなかった放電セル６１では、維持放電は発生せず、初期化期間の終了時における壁電圧が保持される。続いて、走査電極ＳＣ１〜ＳＣｎには、第２の電圧である０（Ｖ）が印加される。同時に、維持電極ＳＵ１〜ＳＵｎには、第１の電圧である維持パルス電圧Ｖｓ（Ｖ）が印加される。このことによって、先に維持放電を起こした放電セル６１では、維持電極ＳＵｉ上と走査電極ＳＣｉ上との間の電圧が放電開始電圧を超える。このため、再び維持電極ＳＵｉと走査電極ＳＣｉとの間に維持放電が起こり、維持電極ＳＵｉ上に負の壁電圧が蓄積され、走査電極ＳＣｉ上に正の壁電圧が蓄積される。
【００２６】
以降、同様にして、走査電極ＳＣ１〜ＳＣｎと維持電極ＳＵ１〜ＳＵｎとに交互に輝度重みに応じた数の維持パルス電圧Ｖｓ（Ｖ）が印加される。このことによって、書込み期間において、書込み放電を起こした放電セル６１では、維持放電が継続して行われる。このようにして、維持期間における維持動作が終了する。
【００２７】
続く第２サブフィールドにおいても、初期化期間、書込み期間、維持期間の動作が、第１サブフィールドにおける動作とほぼ同様に行われる。また、同様にして、第３サブフィールド以降の動作も行われるので、以降の説明を省略する。
【００２８】
次に、本発明のプラズマディスプレイ装置６３のパネル１１の構造について、図５〜図９Ｃを用いてさらに詳細に説明する。
【００２９】
図５は、本発明の実施の形態によるプラズマディスプレイ装置６３に用いられるパネル１１の構造を示す断面図である。図６は、図５に示すパネル１１の放電セル６１の構造を示す平面図である。また、図７は、パネル１１のデータ電極８の要部構造を示す平面図である。
【００３０】
図５〜図７において、放電セル６１を形成する格子状または井桁形状の隔壁９は、縦隔壁９ａと横隔壁９ｂとを有する。縦隔壁９ａは、データ電極８に平行に形成されている。横隔壁９ｂは、縦隔壁９ａに直交し、かつ縦隔壁９ａより高さが低い。このことによって、横隔壁９ｂと保護層６との間に間隙ｇが形成される。また、隔壁９内に塗布され、形成される蛍光体層１０は、縦隔壁９ａに沿って、ストライプ状に青色蛍光体層１０Ｂ、赤色蛍光体層１０Ｒ、緑色蛍光体層１０Ｇの順に配列されて形成されている。さらに、ストライプ状に形成された青色蛍光体層１０Ｂと赤色蛍光体層１０Ｒと緑色蛍光体層１０Ｇとは、赤色蛍光体層１０Ｒの幅が、青色蛍光体層１０Ｂの幅および緑色蛍光体層１０Ｇの幅より狭くなるように隔壁９が配列されている。すなわち、赤色（Ｒ）の放電セル６１Ｒの発光面積が、青色（Ｂ）の放電セル６１Ｂの発光面積と緑色（Ｇ）の放電セル６１Ｇの発光面積とに比べて小さい。このことによって、パネル１１の発光色が適切な色温度になるよう調整されている。
【００３１】
また、データ電極８は、図６と図７とに示すように、主電極部８ａと配線部８ｂとを有する。主電極部８ａは、データ電極８が走査電極３と維持電極４とに対向する部分に形成されている。また、配線部８ｂは、複数の主電極部８ａを接続している。すなわち、主電極部８ａは、放電セル６１内に形成されている。また、配線部８ｂは、主電極部８ａ以外の部分のデータ電極８に形成されている。さらに、主電極部８ａは、配線部８ｂに比べ、幅広に構成されている。言い換えれば、配線部８ｂの幅は、主電極部８ａの幅よりも狭い。
【００３２】
さらに、主電極部８ａは、データ電極８の長手方向における端部２０を有する。端部２０は、走査電極３の長辺部２１と維持電極４の長辺部２２とに、実質的に一致するように配置されている。なお、長辺部２１と長辺部２２とは、それぞれ、放電セル６１内の１対の走査電極３と維持電極４との各長辺であって、放電セル６１内で最も離間した側の走査電極３の長辺と維持電極４の長辺とのことである。
【００３３】
主電極部８ａの長さ（データ電極８の長手方向に沿った長さ）が長くなるとデータ電流が増加する。また、主電極部８ａの長さが短くなると書込み放電に必要な書込みパルス電圧が高くなり、書込み動作が不安定となる。このため、主電極部８ａの端部２０が走査電極３の長辺部２１と維持電極４の長辺部２２とに実質的に一致するように構成することにより、誤動作の少ない書込み動作を行うことができる。これとともに、書込み動作を行う際にデータ電極に流れるデータ電流を減らすことができ、これにより高画質で低消費電力のプラズマディスプレイ装置を提供することができる。
【００３４】
なお、このような効果を得るためには、主電極部８ａの端部２０と走査電極３の長辺部２１との位置ずれ量Ｌ１が５０μｍ以下であり、端部２０と維持電極４の長辺部２２との位置ずれ量Ｌ２が５０μｍ以下であることが好ましい。図６では、放電セル６１内において主電極部８ａの端部２０が長辺部２１、２２の外側に位置する場合を示しているが、主電極部８ａの端部２０が長辺部２１、２２の内側に位置する場合も位置ずれ量が５０μｍ以下であることが好ましい。すなわち、主電極部８ａの端部２０と走査電極３の長辺部２１との位置ずれ量（データ電極８の長手方向に沿ったずれ量）が５０μｍ以下であれば、端部２０が長辺部２１に実質的に一致すると言える。また、主電極部８ａの端部２０と維持電極４の長辺部２２との位置ずれ量（データ電極８の長手方向に沿ったずれ量）が５０μｍ以下であれば、端部２０が長辺部２２に実質的に一致すると言える。
【００３５】
また、大画面のパネル１１の全ての放電セル６１において、主電極部８ａの端部２０が、走査電極３の長辺部２１と維持電極４の長辺部２２とに実質的に一致する必要はなく、パネル１１の放電セル６１間においてばらつきがあってもよい。要は、主電極部８ａの端部２０を走査電極３の長辺部２１および維持電極４の長辺部２２のそれぞれに実質的に一致させるという設計思想でパネルを構成していれば本発明の構成を満足するものである。
【００３６】
さらに、主電極部８ａの角部２０ａは、図６と図７とに示すように、曲率を有するＲ形状を有するように、面取り加工が施された形状であってもよい。たとえば、主電極部８ａの角部２０ａを直角形状とした場合、データ電極８を形成する際に角部２０ａではがれが生じることがある。このため、放電セル間で主電極部８ａの形状がばらつき、これにより書込みパルス電圧がばらつくため書込み動作を行うときの駆動マージンが小さくなる。また、パネルの製造工程であるエージング工程において、印加電圧などのエージング条件にもよるが、角部２０ａへの電界集中により走査電極３または維持電極４とデータ電極８との間でスパークが発生して絶縁体層７が破損することがある。
【００３７】
しかし、角部２０ａが面取り加工を施された形状であれば、データ電極８を形成する際に角部２０ａのはがれの発生を抑制でき、書込み動作を行うときの駆動マージンを確保することができる。また、エージング工程における絶縁体層７の破損を抑制することができる。
【００３８】
また、プラズマディスプレイ装置６３は、図２に示すように、データ電極８に電圧を供給するデータドライバ１３ａがデータ電極８の一端にのみ接続されている。すなわち、シングルスキャン方式が採用されている。このことによって、プラズマディスプレイ装置６３の駆動回路を構成する部品点数が削減され、駆動回路の低価格化が図られる。この結果、プラズマディスプレイ装置６３の低価格化が実現されている。
【００３９】
さらに、本発明において、データ電極８は、走査電極３と維持電極４とに対向する部分に、配線部８ｂよりも広い幅を有する主電極部８ａを有している。さらに、主電極部８ａの端部２０は、走査電極３の長辺部２１と維持電極４の長辺部２２と実質的に一致する位置に配置されている。すなわち、パネル１１の放電に用いられる主電極部８ａの幅に比べて、配線部８ｂの幅が細いことによって、データ電流が低減される。実験によれば、データ電極８の幅が約１４０μｍで一定である場合、約２３０ｍＡのデータ電流が流れる。これに対して、主電極部８ａの幅が約１４０μｍであって、配線部８ｂの幅が約８０μｍである場合、データ電流が約２００ｍＡとなり、データ電流を低減させることができる。このことによって、シングルスキャン方式を採用する場合であってもデータドライバ１３ａに対する回路負荷の少ない、プラズマディスプレイ装置６３が実現される。
【００４０】
以上のように、本発明のプラズマディスプレイ装置６３は、書き込み動作を行う際にデータ電極８に流れるデータ電流が削減される。このことによって、高画質で、かつ、低消費電力のプラズマディスプレイ装置６３が提供される。
【００４１】
さらに、パネル１１のデータ電極８に電圧を供給するためのデータドライバ１３ａが、データ電極８の一端にのみ接続した構成であることから、パネル１１の高精細化に対して、データドライバ１３ａ数の削減が可能である。このため、低価格のプラズマディスプレイ装置６３が実現される。
【００４２】
また、パネル１１の中央部１１ｂのデータ電極８の幅とパネル１１の周辺部１１ｃのデータ電極８の幅とが異なる幅を有していてもよい。なお、図８と図９Ａと図９Ｂと図９Ｃとを用いて、以下に説明する。
【００４３】
図８において、パネル１１は、第１領域４１と第２領域４２と第３領域４３とを有する。第１領域４１は、パネル１１の中央部１１ｂに位置し、第２領域４２はパネル１１の周辺部１１ｃに位置する。遷移領域である第３領域４３は、第１領域４１と第２領域４２との間に形成されている。さらに、第１領域４１には、図９Ａに示すような、第１パターン２３を有するデータ電極８が形成されている。また、第２領域４２には、図９Ｂに示すような、第２パターン２４を有するデータ電極８が形成されている。さらに、第３領域４３には、図９Ｃに示すような、第３パターン２５を有するデータ電極８が形成されている。
【００４４】
第１パターン２３を有するデータ電極８は、図９Ａに示すように、赤色（Ｒ）、緑色（Ｇ）、青色（Ｂ）のそれぞれの色に対応する主電極部８ａの幅が、それぞれ、Ｗｒ１、Ｗｇ１、Ｗｂ１であり、同一の幅を有している。すなわち、Ｗｒ１＝Ｗｇ１＝Ｗｂ１の条件を満たしている。
【００４５】
また、図９Ｂに示すように、第２パターン２４を有する赤色（Ｒ）に対応する主電極部８ａの幅Ｗｒ２は、第１パターン２３の赤色（Ｒ）に対応する主電極部８ａの幅Ｗｒ１と等しく、Ｗｒ１＝Ｗｒ２の関係を満たす。また、第２パターン２４の緑色（Ｇ）に対応する主電極部８ａの幅Ｗｇ２は、第１パターン２３の緑色（Ｇ）に対応する主電極部８ａの幅Ｗｇ１よりも幅が広い。すなわち、Ｗｇ１＜Ｗｇ２の関係を満たす。同様に、第２パターン２４の青色（Ｂ）に対応する主電極部８ａの幅Ｗｂ２は、第１パターン２３の青色（Ｂ）に対応する主電極部８ａの幅Ｗｂ１よりも幅が広い。すなわち、Ｗｂ１＜Ｗｂ２の関係を満たす。
【００４６】
さらに、図９Ｃに示すように、第３パターン２５を有する赤色（Ｒ）に対応する主電極部８ａの幅Ｗｒ３は、第１パターン２３の赤色（Ｒ）に対応する主電極部８ａの幅Ｗｒ１と等しく、また、第２パターン２４の赤色（Ｒ）に対応する主電極部８ａの幅Ｗｒ２とも等しい。すなわちＷｒ１＝Ｗｒ２＝Ｗｒ３の関係を満たす。また、第３パターン２５の緑色（Ｇ）に対応する主電極部８ａの幅Ｗｇ３は、第１パターン２３の緑色（Ｇ）に対応する主電極部８ａの幅Ｗｇ１よりも幅が広い。これと同時に、幅Ｗｇ３は、第２パターン２４の緑色（Ｇ）に対応する主電極部８ａの幅Ｗｇ２よりも幅が狭い。すなわち、Ｗｇ１＜Ｗｇ３＜Ｗｇ２の関係を満たす。同様に、第３パターン２５の青色（Ｂ）に対応する主電極部８ａの幅Ｗｂ３は、第１パターン２３の青色（Ｂ）に対応する主電極部８ａの幅Ｗｂ１よりも幅が広い。これと同時に、幅Ｗｂ３は、第２パターン２４の青色（Ｂ）に対応する主電極部８ａの幅Ｗｂ２よりも幅が狭い。すなわち、Ｗｂ１＜Ｗｂ３＜Ｗｂ２の関係を満たす。
【００４７】
以上のように、パネル１１の周辺部１１ｃにおいて、青色（Ｂ）と緑色（Ｇ）とに対応する主電極部８ａの幅Ｗｂ２、Ｗｇ２が、パネル１１の中央部１１ｂの主電極部８ａの幅Ｗｂ１、Ｗｇ１より広く設定されている（Ｗｇ１＜Ｗｇ２、Ｗｂ１＜Ｗｂ２）。このことによって、書き込み動作時の電荷抜けによる書き込み不良が低減される。すなわち、点灯させる放電セル６１が選択される書き込みステップにおいて、誤動作の少ない書き込み動作が行なわれる。この結果、高画質なプラズマディスプレイ装置６３が提供される。
【００４８】
なお、パネル１１の周辺部１１ｃは、書き込み動作時の電荷抜けによる書き込み不良が発生しやすい領域に対応して設ければよい。例えばパネル１１の周辺部１１ｃは、パネル１１の表示領域の長さ（垂直方向の長さ）に対して、表示領域の上端部および下端部からそれぞれ５％以内の領域とすればよい。
【００４９】
また、第３領域４３が、第１領域４１と第２領域４２との間に形成されたパネル１１の構成について説明した。しかしながら、第１領域４１における主電極部８ａの幅と第２領域４２における主電極部８ａの幅との差が小さい（例えば１０μｍ以下）場合には、第３領域４３は無くてもよい。
【００５０】
以上のように、本発明によれば、高画質で、低消費電力、低価格のプラズマディスプレイ装置６３が提供される。
【産業上の利用可能性】
【００５１】
以上のように、本発明は、高画質で低消費電力を実現するプラズマディスプレイ装置が提供され、各種表示デバイスに有用である。
【図面の簡単な説明】
【００５２】
【図１】本発明の実施の形態によるプラズマディスプレイ装置に用いられるプラズマディスプレイパネルの要部斜視図
【図２】図１に示すプラズマディスプレイパネルの電極配列を示す電極配列図
【図３】本発明の実施の形態によるプラズマディスプレイ装置の回路ブロック図
【図４】図１に示すプラズマディスプレイパネルの各電極に印加される駆動電圧波形を示す電圧波形図
【図５】本発明の実施の形態によるプラズマディスプレイ装置に用いられるプラズマディスプレイパネルの放電セル構成を示す断面図
【図６】図５に示す放電セル構造を示す平面図
【図７】図５に示すプラズマディスプレイパネルのデータ電極の要部構造を示す平面図
【図８】本発明の実施の形態によるプラズマディスプレイ装置に用いられるプラズマディスプレイパネルを示す平面図
【図９Ａ】図８に示すプラズマディスプレイパネルのデータ電極構成を示す平面図
【図９Ｂ】図８に示すプラズマディスプレイパネルのデータ電極構成を示す平面図
【図９Ｃ】図８に示すプラズマディスプレイパネルのデータ電極構成を示す平面図
【符号の説明】
【００５３】
１    前面基板
２    背面基板
３    走査電極
３ａ，４ａ    透明電極
３ｂ，４ｂ    バス電極
４    維持電極
５    誘電体層
６    保護層
７    絶縁体層
８    データ電極
８ａ    主電極部
８ｂ    配線部
９    隔壁
１０    蛍光体層
１０Ｂ    青色蛍光体層
１０Ｒ    赤色蛍光体層
１０Ｇ    緑色蛍光体層
１１    プラズマディスプレイパネル
１１ｂ    中央部
１１ｃ    周辺部
１３    データ電極駆動回路
１３ａ    データドライバ
２０    端部
２０ａ    角部
２１，２２    長辺部
２３    第１パターン
２４    第２パターン
２５    第３パターン
３１    前面パネル
３２    背面パネル
４１    第１領域
４２    第２領域
４３    第３領域
６０    放電空間
６１，６１Ｒ，６１Ｂ，６１Ｇ    放電セル
６２    表示電極
６３    プラズマディスプレイ装置
【図１】
0004650569.tif 000002
【図２】
0004650569.tif 000003
【図３】
0004650569.tif 000004
【図４】
0004650569.tif 000005
【図５】
0004650569.tif 000006
【図６】
0004650569.tif 000007
【図７】
0004650569.tif 000008
【図８】
0004650569.tif 000009
【図９Ａ】
0004650569.tif 000010
【図９Ｂ】
0004650569.tif 000011
【図９Ｃ】
0004650569.tif 000012